【手続補正書】
【提出日】令和1年5月28日(2019.5.28)
【手続補正１】
【補正対象書類名】特許請求の範囲
【補正対象項目名】全文
【補正方法】変更
【補正の内容】
【特許請求の範囲】
【請求項１】
遊技球が入球可能な開状態と該開状態よりも入球困難又は入球不可能な閉状態とに変化可能に構成され且つ入球した遊技球を特定領域とそれ以外の領域とに振り分ける特定入球手段と、
第１始動手段への遊技球の入球に基づいて第１特別図柄を変動表示可能な第１特別図柄表示手段と、
第２始動手段への遊技球の入球に基づいて第２特別図柄を変動表示可能な第２特別図柄表示手段と、
前記第１特別図柄表示手段と前記第２特別図柄表示手段との何れかによる変動後の停止図柄が第１特定態様となった場合に第１利益状態を発生させる第１利益状態発生手段と、
前記第１特別図柄表示手段と前記第２特別図柄表示手段との何れかによる変動後の停止図柄が第２特定態様となった場合に、前記特定入球手段が前記開状態となる第２利益状態を発生させる第２利益状態発生手段と、
前記特定入球手段に入球した遊技球が前記特定領域に案内された場合に第３利益状態を発生させる第３利益状態発生手段と、
前記第１利益状態の終了後及び前記第３利益状態の終了後に特別遊技状態を発生可能な特別遊技状態発生手段とを備え、
前記特別遊技状態中はそれ以外の遊技状態中に比べて前記第２始動手段への遊技球の入球が容易となる
遊技機において、
前記特定入球手段は、
略上向きに開口する特定入球口と、
前記特定入球口の上側に配置され且つ前記開状態と前記閉状態とに変化可能な特定開閉部材と、
前記特定入球口に入球した遊技球を前記特定領域に案内する特定案内状態と前記特定領域以外の領域に案内する通常案内状態とに変化可能な特定振り分け手段とを備え、
前記特定開閉部材は、前記閉状態のときには左右方向に傾斜した状態で遊技領域内に位置することにより、前記特定入球口への遊技球の入球を阻止すると共にその上に乗った遊技球を左右方向の一方側に案内し、前記開状態のときには前記遊技領域から退避して、前記特定入球口への遊技球の入球を許容すると共にその上側に乗っていた遊技球を下側に落下させ、
前記第２利益状態中に、前記開状態の合計時間が所定上限時間を超えない範囲で、前記特定開閉部材が前記開状態と前記閉状態とを連続的に複数回繰り返す連続開閉動作を行い、
前記連続開閉動作の期間中は前記特定振り分け手段を前記特定案内状態とし、
前記特別遊技状態発生手段は、前記第１利益状態又は前記第３利益状態の終了後に発生する特別遊技状態の開始から特別遊技状態終了条件を満たすまでの期間を、前記第２特別図柄の変動に基づいて前記第１利益状態又は前記第３利益状態が発生した場合の方が、前記第１特別図柄の変動に基づいて前記第１利益状態又は前記第３利益状態が発生した場合よりも長くする
ことを特徴とする遊技機。
【請求項２】
遊技球が入球可能な開状態と該開状態よりも入球困難又は入球不可能な閉状態とに変化可能に構成され且つ入球した遊技球を特定領域とそれ以外の領域とに振り分ける特定入球手段と、
始動手段への遊技球の入球に基づいて特別図柄を変動表示可能な特別図柄表示手段と、
前記特別図柄表示手段による変動後の停止図柄が第１特定態様となった場合に第１利益状態を発生させる第１利益状態発生手段と、
前記特別図柄表示手段による変動後の停止図柄が第２特定態様となった場合に、前記特定入球手段が前記開状態となる第２利益状態を発生させる第２利益状態発生手段と、
前記特定入球手段に入球した遊技球が前記特定領域に案内された場合に第３利益状態を発生させる第３利益状態発生手段と、
前記第１利益状態の終了後及び前記第３利益状態の終了後に特別遊技状態を発生可能な特別遊技状態発生手段とを備えた
遊技機において、
前記特定入球手段は、
略上向きに開口する特定入球口と、
前記特定入球口の上側に配置され且つ前記開状態と前記閉状態とに変化可能な特定開閉部材と、
前記特定入球口に入球した遊技球を前記特定領域に案内する特定案内状態と前記特定領域以外の領域に案内する通常案内状態とに変化可能な特定振り分け手段とを備え、
前記特定開閉部材は、前記閉状態のときには左右方向に傾斜した状態で遊技領域内に位置することにより、前記特定入球口への遊技球の入球を阻止すると共にその上に乗った遊技球を左右方向の一方側に案内し、前記開状態のときには前記遊技領域から退避して、前記特定入球口への遊技球の入球を許容すると共にその上側に乗っていた遊技球を下側に落下させ、
前記第２利益状態中に、前記開状態の合計時間が所定上限時間を超えない範囲で、前記特定開閉部材が前記開状態と前記閉状態とを連続的に複数回繰り返す連続開閉動作を行い、
前記連続開閉動作の期間中は前記特定振り分け手段を前記特定案内状態とし、
前記特別遊技状態発生手段は、前記第１利益状態又は前記第３利益状態の終了後に発生する特別遊技状態の開始から特別遊技状態終了条件を満たすまでの期間を、前記特別遊技状態中に前記第１利益状態又は前記第３利益状態が発生した場合の方が、該特別遊技状態以外の遊技状態中に前記第１利益状態又は前記第３利益状態が発生した場合よりも長くする
ことを特徴とする遊技機。
【請求項３】
遊技球が入球可能な開状態と該開状態よりも入球困難又は入球不可能な閉状態とに変化可能に構成され且つ入球した遊技球を特定領域とそれ以外の領域とに振り分ける特定入球手段と、
始動手段への遊技球の入球に基づいて特別図柄を変動表示可能な特別図柄表示手段と、
前記特別図柄表示手段による変動後の停止図柄が第１特定態様となった場合に第１利益状態を発生させる第１利益状態発生手段と、
前記特別図柄表示手段による変動後の停止図柄が第２特定態様となった場合に、前記特定入球手段が前記開状態となる第２利益状態を発生させる第２利益状態発生手段と、
前記特定入球手段に入球した遊技球が前記特定領域に案内された場合に第３利益状態を発生させる第３利益状態発生手段と、
前記第１利益状態の終了後及び前記第３利益状態の終了後に特別遊技状態を発生可能な特別遊技状態発生手段とを備えた
遊技機において、
前記特定入球手段は、
略上向きに開口する特定入球口と、
前記特定入球口の上側に配置され且つ前記開状態と前記閉状態とに変化可能な特定開閉部材と、
前記特定入球口に入球した遊技球を前記特定領域に案内する特定案内状態と前記特定領域以外の領域に案内する通常案内状態とに変化可能な特定振り分け手段とを備え、
前記特定開閉部材は、前記閉状態のときには左右方向に傾斜した状態で遊技領域内に位置することにより、前記特定入球口への遊技球の入球を阻止すると共にその上に乗った遊技球を左右方向の一方側に案内し、前記開状態のときには前記遊技領域から退避して、前記特定入球口への遊技球の入球を許容すると共にその上側に乗っていた遊技球を下側に落下させ、
前記第２利益状態中に、前記開状態の合計時間が所定上限時間を超えない範囲で、前記特定開閉部材が前記開状態と前記閉状態とを連続的に複数回繰り返す連続開閉動作を行い、
前記連続開閉動作の期間中は前記特定振り分け手段を前記特定案内状態とし、
前記連続開閉動作において開状態とする時間より閉状態とする時間を長くし、
前記特定開閉部材の上側に沿って配置される後壁部と、該後壁部の前側に遊技球が通過可能な隙間を挟んで対向する前壁部とに交互に配置される突起部を備えた
ことを特徴とする遊技機。
【手続補正２】
【補正対象書類名】明細書
【補正対象項目名】０００２
【補正方法】変更
【補正の内容】
【０００２】
従来より、始動手段への遊技球の入球に基づいて図柄を変動表示させ、その変動後の停止図柄が小当たり態様となった場合に、内部に特定領域を含む複数の領域を有するアタッカを開放する小当たり状態が発生し、その小当たり状態中にアタッカに遊技球が入球し、その遊技球が特定領域を通過（Ｖ入賞）すると大当たり状態が発生する、いわゆる１種２種混合タイプの遊技機が知られている（特許文献１）。
【手続補正３】
【補正対象書類名】明細書
【補正対象項目名】０００４
【補正方法】変更
【補正の内容】
【０００４】
このような１種２種混合タイプの遊技機では、アタッカの開放時間に制限があるため、小当たり状態中にアタッカに入賞する遊技球の個数は限られており、従ってＶ入賞による大当たり状態の発生確率を十分に高くすることが難しいという問題があった。
本発明は上記事情に鑑みてなされたものであり、いわゆるＶ入賞による大当たりを高確率で発生させることが可能な遊技機を提供することを目的とする。
【手続補正４】
【補正対象書類名】明細書
【補正対象項目名】０００５
【補正方法】変更
【補正の内容】
【０００５】
第１の発明は、遊技球が入球可能な開状態と該開状態よりも入球困難又は入球不可能な閉状態とに変化可能に構成され且つ入球した遊技球を特定領域とそれ以外の領域とに振り分ける特定入球手段と、第１始動手段への遊技球の入球に基づいて第１特別図柄を変動表示可能な第１特別図柄表示手段と、第２始動手段への遊技球の入球に基づいて第２特別図柄を変動表示可能な第２特別図柄表示手段と、前記第１特別図柄表示手段と前記第２特別図柄表示手段との何れかによる変動後の停止図柄が第１特定態様となった場合に第１利益状態を発生させる第１利益状態発生手段と、前記第１特別図柄表示手段と前記第２特別図柄表示手段との何れかによる変動後の停止図柄が第２特定態様となった場合に、前記特定入球手段が前記開状態となる第２利益状態を発生させる第２利益状態発生手段と、前記特定入球手段に入球した遊技球が前記特定領域に案内された場合に第３利益状態を発生させる第３利益状態発生手段と、前記第１利益状態の終了後及び前記第３利益状態の終了後に特別遊技状態を発生可能な特別遊技状態発生手段とを備え、前記特別遊技状態中はそれ以外の遊技状態中に比べて前記第２始動手段への遊技球の入球が容易となる遊技機において、前記特定入球手段は、略上向きに開口する特定入球口と、前記特定入球口の上側に配置され且つ前記開状態と前記閉状態とに変化可能な特定開閉部材と、前記特定入球口に入球した遊技球を前記特定領域に案内する特定案内状態と前記特定領域以外の領域に案内する通常案内状態とに変化可能な特定振り分け手段とを備え、前記特定開閉部材は、前記閉状態のときには左右方向に傾斜した状態で遊技領域内に位置することにより、前記特定入球口への遊技球の入球を阻止すると共にその上に乗った遊技球を左右方向の一方側に案内し、前記開状態のときには前記遊技領域から退避して、前記特定入球口への遊技球の入球を許容すると共にその上側に乗っていた遊技球を下側に落下させ、前記第２利益状態中に、前記開状態の合計時間が所定上限時間を超えない範囲で、前記特定開閉部材が前記開状態と前記閉状態とを連続的に複数回繰り返す連続開閉動作を行い、前記連続開閉動作の期間中は前記特定振り分け手段を前記特定案内状態とし、前記特別遊技状態発生手段は、前記第１利益状態又は前記第３利益状態の終了後に発生する特別遊技状態の開始から特別遊技状態終了条件を満たすまでの期間を、前記第２特別図柄の変動に基づいて前記第１利益状態又は前記第３利益状態が発生した場合の方が、前記第１特別図柄の変動に基づいて前記第１利益状態又は前記第３利益状態が発生した場合よりも長くするものである。
また第２の発明は、遊技球が入球可能な開状態と該開状態よりも入球困難又は入球不可能な閉状態とに変化可能に構成され且つ入球した遊技球を特定領域とそれ以外の領域とに振り分ける特定入球手段と、始動手段への遊技球の入球に基づいて特別図柄を変動表示可能な特別図柄表示手段と、前記特別図柄表示手段による変動後の停止図柄が第１特定態様となった場合に第１利益状態を発生させる第１利益状態発生手段と、前記特別図柄表示手段による変動後の停止図柄が第２特定態様となった場合に、前記特定入球手段が前記開状態となる第２利益状態を発生させる第２利益状態発生手段と、前記特定入球手段に入球した遊技球が前記特定領域に案内された場合に第３利益状態を発生させる第３利益状態発生手段と、前記第１利益状態の終了後及び前記第３利益状態の終了後に特別遊技状態を発生可能な特別遊技状態発生手段とを備えた遊技機において、前記特定入球手段は、略上向きに開口する特定入球口と、前記特定入球口の上側に配置され且つ前記開状態と前記閉状態とに変化可能な特定開閉部材と、前記特定入球口に入球した遊技球を前記特定領域に案内する特定案内状態と前記特定領域以外の領域に案内する通常案内状態とに変化可能な特定振り分け手段とを備え、前記特定開閉部材は、前記閉状態のときには左右方向に傾斜した状態で遊技領域内に位置することにより、前記特定入球口への遊技球の入球を阻止すると共にその上に乗った遊技球を左右方向の一方側に案内し、前記開状態のときには前記遊技領域から退避して、前記特定入球口への遊技球の入球を許容すると共にその上側に乗っていた遊技球を下側に落下させ、前記第２利益状態中に、前記開状態の合計時間が所定上限時間を超えない範囲で、前記特定開閉部材が前記開状態と前記閉状態とを連続的に複数回繰り返す連続開閉動作を行い、前記連続開閉動作の期間中は前記特定振り分け手段を前記特定案内状態とし、前記特別遊技状態発生手段は、前記第１利益状態又は前記第３利益状態の終了後に発生する特別遊技状態の開始から特別遊技状態終了条件を満たすまでの期間を、前記特別遊技状態中に前記第１利益状態又は前記第３利益状態が発生した場合の方が、該特別遊技状態以外の遊技状態中に前記第１利益状態又は前記第３利益状態が発生した場合よりも長くするものである。
また第３の発明は、遊技球が入球可能な開状態と該開状態よりも入球困難又は入球不可能な閉状態とに変化可能に構成され且つ入球した遊技球を特定領域とそれ以外の領域とに振り分ける特定入球手段と、始動手段への遊技球の入球に基づいて特別図柄を変動表示可能な特別図柄表示手段と、前記特別図柄表示手段による変動後の停止図柄が第１特定態様となった場合に第１利益状態を発生させる第１利益状態発生手段と、前記特別図柄表示手段による変動後の停止図柄が第２特定態様となった場合に、前記特定入球手段が前記開状態となる第２利益状態を発生させる第２利益状態発生手段と、前記特定入球手段に入球した遊技球が前記特定領域に案内された場合に第３利益状態を発生させる第３利益状態発生手段と、前記第１利益状態の終了後及び前記第３利益状態の終了後に特別遊技状態を発生可能な特別遊技状態発生手段とを備えた遊技機において、前記特定入球手段は、略上向きに開口する特定入球口と、前記特定入球口の上側に配置され且つ前記開状態と前記閉状態とに変化可能な特定開閉部材と、前記特定入球口に入球した遊技球を前記特定領域に案内する特定案内状態と前記特定領域以外の領域に案内する通常案内状態とに変化可能な特定振り分け手段とを備え、前記特定開閉部材は、前記閉状態のときには左右方向に傾斜した状態で遊技領域内に位置することにより、前記特定入球口への遊技球の入球を阻止すると共にその上に乗った遊技球を左右方向の一方側に案内し、前記開状態のときには前記遊技領域から退避して、前記特定入球口への遊技球の入球を許容すると共にその上側に乗っていた遊技球を下側に落下させ、前記第２利益状態中に、前記開状態の合計時間が所定上限時間を超えない範囲で、前記特定開閉部材が前記開状態と前記閉状態とを連続的に複数回繰り返す連続開閉動作を行い、前記連続開閉動作の期間中は前記特定振り分け手段を前記特定案内状態とし、前記連続開閉動作において開状態とする時間より閉状態とする時間を長くし、前記特定開閉部材の上側に沿って配置される後壁部と、該後壁部の前側に遊技球が通過可能な隙間を挟んで対向する前壁部とに交互に配置される突起部を備えたものである。
【手続補正５】
【補正対象書類名】明細書
【補正対象項目名】０００６
【補正方法】変更
【補正の内容】
【０００６】
本発明によれば、いわゆるＶ入賞による大当たりを高確率で発生させることが可能である。